(57)【要約】【課題】  廊下灯の前面をシンプルな外観としつつ、できるだけ医療従事者のみが復旧の操作をできるようにすることを目的とする。【解決手段】  呼び出し時に、呼び出しの報知を行い、物体の接近を検知する非接触センサ部１５を動作させ、その近傍に擬似的な復旧ボタンを示す復旧の文字を表示する。復旧の表示に物体が接近すると、非接触センサ部１５にて検知し、廊下灯用制御部１１は、呼び出し報知部１３、復旧表示部１４、非接触センサ部１５を停止させる。これにより、廊下灯１０の前面に復旧ボタンが存在しないので、廊下灯１０の前面をシンプルな外観とすることができる。また、呼び出しが行われていない時には、廊下灯１０の前面に復旧の文字が表示されず、非接触センサ部１５も動作しないので、誰も復旧の操作をすることができない状態となる。【選択図】        図１
2008183341.tif 000002
【特許請求の範囲】
【請求項１】
患者による操作によって医療従事者を呼び出すための呼び出し信号を出力するナースコール子機に接続された廊下灯であって、
前記呼び出し信号を入力する廊下灯用インターフェースと、
前記患者による呼び出しを報知する呼び出し報知部と、
物体の接近を検知する非接触センサ部と、
前記非接触センサ部の近傍に設けられ、前記非接触センサ部が復旧動作を行うことを示す擬似的な復旧ボタンを表示する復旧表示部と、
前記廊下灯用インターフェースが前記呼び出し信号を入力した場合に、前記呼び出し報知部および前記非接触センサ部を動作させるとともに、前記復旧表示部を制御して前記擬似的な復旧ボタンを表示させ、この状態で前記復旧表示部に物体が接近して前記非接触センサ部により前記物体を検知したときに、前記呼び出し報知部、前記被接触センサ部、前記復旧表示部の動作を停止する廊下灯用制御部と、
を有する廊下灯。
【請求項２】
少なくとも前記非接触センサ部および前記復旧表示部の前面に透光性を有する前面パネルを設けたことを特徴とする請求項１に記載の廊下灯。
【請求項３】
前記前面パネルは、前記被接触センサ部が対向する位置に貫通孔を設けたことを特徴とする請求項２に記載の廊下灯。
【発明の詳細な説明】
【技術分野】
【０００１】
本発明は、病院などで患者からの要求に応じて医療従事者を呼び出すためのナースコールシステムに適用され、各病室の出入口近傍に設置されて病室内の患者からの呼び出しを表示する廊下灯に関する。
【背景技術】
【０００２】
従来、ナースコールシステムでは、病室内の患者の近辺（例えば、ベッド近傍など）に設置されたナースコール子機および看護師などの医療従事者の居る部屋などに設置されたナースコール親機を有線や無線などにより接続している。また、ナースコール子機およびナースコール親機は、廊下灯や制御機などを介して接続されている。
【０００３】
ナースコール子機により患者が呼び出しを行った場合に、廊下灯は、表面部分に設けた表示灯を点灯させたり点滅させたりすることで、患者が呼び出しを行っていることを廊下に居る医療従事者に視認させるようにしている。また、廊下灯の表示灯が点灯したり点滅したりする呼び出し状態である場合に、呼び出し状態を解除する復旧ボタンを廊下灯に設ける技術が知られている（例えば、特許文献１、特許文献２など）。
【特許文献１】特開２００３−３７６７９号公報
【特許文献２】特開２００６−１５７５８５号公報
【０００４】
特許文献１および特許文献２に記載の技術によれば、廊下灯の表示灯が呼び出し状態である場合に、呼び出しを行っている患者に対応する医療従事者は、廊下灯に設けた復旧ボタンを押下することで、呼び出し状態を解除することができる。
【０００５】
しかしながら、特許文献１および特許文献２を含む従来の廊下灯では、患者による呼び出しが行われていない時でも復旧ボタンが常に視認可能の状態であるため、医療従事者以外の患者などでも容易に復旧ボタンを操作することができ、復旧ボタンが意図せずに操作されてしまうことがあるという問題があった。また、復旧ボタンが存在するため、廊下灯の前面をシンプルな外観とすることができないという問題があった。
【発明の開示】
【発明が解決しようとする課題】
【０００６】
本発明は、このような問題を解決するために成されたものであり、廊下灯の前面をシンプルな外観としつつ、できるだけ医療従事者のみが復旧ボタンを操作できるようにすることを目的とする。
【課題を解決するための手段】
【０００７】
上述した課題を解決するために、本発明では、ナースコール子機によって呼び出し操作が行われると、呼び出し報知部により呼び出しを報知させ、物体の接近を検知する非接触センサ部を動作させるとともに、非接触センサ部の近傍に擬似的な復旧ボタンを表示する。そして、透光性を有する前面パネルを介して表示された復旧ボタンに物体が接近すると、非接触センサ部がこれを検知し、廊下灯用制御部は、呼び出しの報知、擬似的な復旧ボタンの表示、非接触センサ部を停止させるようにしている。
【発明の効果】
【０００８】
上記のように構成した本発明によれば、呼び出しが行われた時にのみ動作する非接触センサ部が復旧ボタンの役割を果たすとともに、呼び出しが行われた時にのみ非接触センサ部の近傍に擬似的な復旧ボタンが表示される。これにより、廊下灯の前面に復旧ボタンを設ける必要が無くなり、廊下灯の前面をシンプルな外観とすることができる。また、患者による呼び出しが行われていない時には、復旧ボタンの役割を果たす非接触センサ部が動作しないので、誰も復旧の操作をすることができなくなる。従って、呼び出しが行われた時にのみ復旧の操作を行うことができるようになり、医療従事者のみが復旧の操作を行うことができる可能性が高くなる。
【発明を実施するための最良の形態】
【０００９】
以下、本発明の一実施形態を図面に基づいて説明する。図１は、本実施形態による廊下灯を適用したナースコールシステムの構成例を示すブロック図である。図１に示すように、このナースコールシステムは、ナースコール子機１、廊下灯１０、ナースコール親機（図示せず）を備えて構成されている。
【００１０】
また、ナースコール子機１は、子機用制御部２、呼び出し操作部３、子機用インターフェース４を備えて構成されている。また、廊下灯１０は、廊下灯用制御部１１、廊下灯用インターフェース１２、呼び出し報知部１３、復旧表示部１４、非接触センサ部１５、前面パネル１６を備えて構成されている。
【００１１】
ナースコール子機１は、病室内の患者の近辺（例えば、ベッド近傍など）に設置されており、伝送線を介して廊下灯１０に接続されている。廊下灯１０は、ナースコール親機に接続されている。また、廊下灯１０は、病室毎に設けられており、各部屋の出入口近傍の外側の壁面などに取り付けられている。また、廊下灯１０は、患者からの呼び出し時に点灯するなどの状態変化により呼び出しを報知する。ここで、廊下灯１０には、病室内の複数のナースコール子機１が識別可能に接続されている。
【００１２】
ナースコール親機は、医療従事者が在室するナースステーションなどに設置されている。ここで、ナースコール親機には、複数の廊下灯１０および廊下灯１０に接続された複数のナースコール子機１が識別可能に接続されている。
【００１３】
また、廊下灯１０とナースコール親機との間に制御機などを設けるようにしても良い。また、制御機は、各ナースコール子機１から入力した各種の信号を識別すると共に、それらの信号がどの患者からのものであるか（どのベッドからのものであるか）を特定してナースコール親機に送信する。
【００１４】
子機用制御部２は、ナースコール子機１の各構成要素を後述するように制御する。呼び出し操作部３は、患者により医療従事者を呼び出すための操作を行うもので、ボタンなどにより構成されている。子機用制御部２は、呼び出し操作部３が操作されると、呼び出し信号を生成する。
【００１５】
子機用インターフェース４は、呼び出し信号を廊下灯１０に出力する。また、子機用インターフェース４は、ナースコール親機との間で通話時の音声信号の入出力を、廊下灯１０を介して行う。具体的には、子機用インターフェース４は、子機用制御部２により生成された呼び出し信号の出力後にナースコール親機により通話路が形成されると、患者からの音声信号をナースコール親機に出力するとともに、医療従事者からの音声信号をナースコール親機から入力する。
【００１６】
本実施形態による廊下灯１０は、壁面に設置された状態で正面から見ると図２に示すような外観となっている。廊下灯１０の上方中央には、廊下灯１０が設置されている病室の部屋番号を示す部屋番号表示部２１（この実施形態では、３０１号室である）が配置されている。ここで、部屋番号表示部２１は、部屋番号を印刷した板状の部材であっても良いし、液晶ディスプレイなどのように電気的な表示を行う部材であっても良い。
【００１７】
また、部屋番号表示部２１の下方には、廊下灯１０が設置されている病室内に居る患者の氏名を示す氏名表示部２２ａ〜２２ｄが配置されている。ここで、氏名表示部２２ａには、患者である「○○  ○○」さんの氏名が、氏名表示部２２ｂには、患者である「××  ××」さんの氏名が、氏名表示部２２ｃには、患者である「△△  △△」さんの氏名が、氏名表示部２２ｄには、患者である「□□  □□」さんの氏名がそれぞれ表示されている。ここで、氏名表示部２２ａ〜２２ｄは、患者の氏名を印刷（または手書きにより記載）した板状の部材であっても良いし、液晶ディスプレイなどのように電気的な表示を行う部材であっても良い。
【００１８】
また、部屋番号表示部２１の両側には、患者による呼び出しを報知するための表示灯２３が配置されている。また、氏名表示部２２ａ，２２ｂの左側および氏名表示部２２ｃ，２２ｄの右側には、呼び出しを行った患者を特定するために点灯する患者別表示灯２４ａ〜２４ｄが配置されている。
【００１９】
そして、部屋番号表示部２１、氏名表示部２２ａ〜２２ｄ、表示灯２３、患者別表示灯２４ａ〜２４ｄの前面には、透光性を有する前面パネル１６が設置されており、廊下灯１０の前面はフラットな形状となっている。
【００２０】
このような外観を有する廊下灯１０には、下記の各構成要素が含まれる。廊下灯用制御部１１は、廊下灯１０の各構成要素を後述するように制御する。廊下灯用インターフェース１２は、ナースコール子機１から呼び出し信号を入力するとともに、患者と医療従事者との通話時の音声信号を入出力する。ここで、廊下灯用制御部１１は、廊下灯用インターフェース１２から呼び出し信号を入力するとともに、ナースコール親機に呼び出し信号を出力する。
【００２１】
呼び出し報知部１３は、患者からの呼び出しを報知するものであり、前述した表示灯２３や患者別表示灯２４ａ〜２４ｄがこれに該当する。また、呼び出し報知部１３は、これらの表示に加えて、警報音を鳴らすようにしても良い。廊下灯用制御部１１は、廊下灯用インターフェース１２から呼び出し信号を入力すると、呼び出し報知部１３を動作させる。呼び出し報知部１３は、表示灯２３を点灯または点滅させるとともに、呼び出しを行った患者に対応する患者別表示灯（患者別表示灯２４ａ〜２４ｄの何れか）を点灯または点滅させる。
【００２２】
復旧表示部１４は、図２（ｂ）に示すように、擬似的な復旧ボタンの表示を行うものであり、発光ダイオードなどの発光手段の前面に「復旧」の文字を記載した透光性を有する表示板を配置したり、「復旧」の文字を表示する液晶ディスプレイを配置したりすることで実現可能である。
【００２３】
非接触センサ１５は、物体（例えば、医療従事者の手Ｈなど）の接近を検知することで、検知信号を廊下灯用制御部１１に出力するセンサである。ここで、非接触センサ１５は、光電センサ（例えば、拡散反射型、狭視界反射型など）や、超音波センサなどの周知のセンサを用いる。非接触センサ１５が、透光性を有する物体を検知する場合には、非接触センサ１５の前面に配置される前面パネル１６の非接触センサ１５が対向する位置に貫通孔を設ける必要がある。一方、非接触センサ１５が、透光性を有する物体を検知しない場合には、その必要は無い。このように、前面パネル１６に貫通孔を設けた場合でも、貫通孔は従来の復旧ボタンよりも小さいので、貫通孔が前面パネル１６の外観に与える影響は少ないものとなる。
【００２４】
ここで、本実施形態による廊下灯１０では、復旧ボタンの役割を果たす非接触センサ部１５を操作する（換言すると、物体を検知させる）際に、医療従事者は、前面パネル１６に接触する必要がないので、感染症などの衛生上の問題を回避することができる。
【００２５】
廊下灯用制御部１１は、廊下灯用インターフェース１２から呼び出し信号を入力すると、復旧表示部１４および非接触センサ部１５を動作させる。そして、復旧操作部１４は、擬似的な復旧ボタンを示す「復旧」の文字を表示する。また、非接触センサ部１５は、物体の接近を検知する動作を開始する。
【００２６】
この状態で、呼び出しを行った病室前の廊下などに居る医療従事者が呼び出し報知部１３による呼び出しの報知を確認した場合には、医療従事者は、呼び出しに対応するために呼び出しの報知を終了させる。そのために、廊下灯１０の前面に表示されている「復旧」の文字に手Ｈを近付ける。すると、非接触センサ部１５は、手Ｈの接近を検知して、検知信号を廊下灯用制御部１１に出力する。
【００２７】
非接触センサ部１５から検知信号を入力すると、廊下灯用制御部１１は、呼び出し報知部１３、復旧表示部１４、非接触センサ部１５の動作を停止させて復旧動作を行う。なお、ナースコール親機でも呼び出しの報知を行っている場合には、廊下灯用制御部１１は、ナースコール親機に対しても復旧動作を行う必要がある。
【００２８】
このように、本実施形態による廊下灯１０は、呼び出しが行われていない場合および呼び出しが行われた後に非接触センサ部１５が物体の接近を検知した場合には、図２（ａ）に示すように、「復旧」の文字を表示しない。一方、廊下灯１０は、呼び出しが行われている場合には、図２（ｂ）に示すように、「復旧」の文字を表示する。
【００２９】
次に、本実施形態による廊下灯の動作および復旧方法を説明する。図３は、本実施形態による廊下灯の動作および復旧方法を示すフローチャートである。まず、廊下灯１０の廊下灯用インターフェース１２に呼び出し信号が入力したか否かを廊下灯用制御部１１にて調べる（ステップＳ１）。具体的には、呼び出し操作部３が操作されると、子機用制御部２にて呼び出し信号が生成されて子機用インターフェース４から出力される。そして、呼び出し信号は、廊下灯用インターフェース１２に入力する。
【００３０】
廊下灯用インターフェース１２が呼び出し信号を入力していないと廊下灯用制御部１１にて判断した場合には（ステップＳ１にてＮＯ）、呼び出し信号を入力するまでステップＳ１の処理を繰り返す。一方、廊下灯用インターフェース１２が呼び出し信号を入力したと廊下灯用制御部１１にて判断した場合には（ステップＳ１にてＹＥＳ）、廊下灯用制御部１１は、呼び出し報知部１３を制御して呼び出しを報知させ、復旧表示部１４を制御して「復旧」の文字を表示させるとともに、非接触センサ部１５を動作させる（ステップＳ２）。
【００３１】
この状態で、非接触センサ部１５が物体の接近を検知したか否かを廊下灯用制御部１１にて調べる（ステップＳ３）。非接触センサ部１５が物体の接近を検知しなかったと廊下灯用制御部１１にて判断した場合には（ステップＳ３にてＮＯ）、非接触センサ部１５が物体の接近を検知するまでステップＳ３の処理を繰り返す。一方、非接触センサ部１５が物体の接近を検知したと廊下灯用制御部１１にて判断した場合には（ステップＳ３にてＹＥＳ）、廊下灯用制御部１１は、呼び出し報知、「復旧」の文字の表示、非接触センサ部１５の動作を停止させる（ステップＳ４）。
【００３２】
以上詳しく説明したように、本実施形態によれば、ナースコール子機１の呼び出し操作部３の操作によって呼び出し操作が行われた場合に、呼び出し報知部１３により呼び出しの報知が行われ、物体の接近を検知する非接触センサ部１５を動作させるとともに、非接触センサ部１５の近傍に擬似的な復旧ボタンの存在を示す「復旧」の文字を復旧表示部１４により表示する。そして、透光性を有する前面パネル１６を介して「復旧」の文字に物体が接近すると、非接触センサ部１５がこれを検知し、廊下灯用制御部１１は、呼び出し報知部１３、復旧表示部１４、非接触センサ部１５の動作を停止させるようにしている。
【００３３】
このように、呼び出しが行われた時にのみ動作する非接触センサ部１５が復旧ボタンの役割を果たすとともに、呼び出しが行われた時にのみ非接触センサ部１５の近傍に擬似的な復旧ボタンが表示される。従って、廊下灯１０の前面に復旧ボタンを設ける必要がなくなり、廊下灯１０の前面をシンプルな外観とすることができる。また、患者による呼び出しが行われていない時には、復旧ボタンの役割を果たす非接触センサ部１５が動作しないので、誰も復旧の操作をすることができなくなる。そのため、呼び出しが行われた時にのみ、「復旧」の文字の表示を頼りに非接触センサ部１５に手を近付けることで、復旧の操作を行うことができるようになる。これにより、医療従事者のみが復旧の操作を行うことができる可能性が高くなる。
【００３４】
なお、前述した実施形態では、透光性を有する前面パネル１６を設けているが、これに限定されない。例えば、廊下灯１０の前面がほぼフラットな状態であれば、前面パネル１６を設けなくても良い。
【００３５】
また、本実施携帯では、非接触センサ部１５として、光電センサや超音波センサを用いているが、これに限定されない。例えば、医療従事者にＩＣタグを携帯させ、ＩＣタグリーダーを非接触センサ部１５として使用しても良い。また、医療従事者に赤外線発光装置を携帯させ、赤外線受光部を非接触センサ部１５として使用しても良い。ＩＣタグおよび赤外線装置の何れの場合でも、ＩＣタグや赤外線発光装置を看護師毎に異なるものとすることで、復旧の操作を行った医療従事者を特定することができる。
【００３６】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【図面の簡単な説明】
【００３７】
【図１】本実施形態による廊下灯を適用したナースコールシステムの構成例を示すブロック図である。
【図２】本実施形態による廊下灯の外観を示す正面図である。
【図３】本実施形態による廊下灯の動作および復旧方法を示すフローチャートである。
【符号の説明】
【００３８】
１    ナースコール子機
２    子機用制御部
３    呼び出し操作部
４    子機用インターフェース
１０    廊下灯
１１    廊下灯用インターフェース
１３    呼び出し報知部
１４    復旧表示部
１５    非接触センサ部
１６    前面パネル
【図１】
2008183341.tif 000003
【図２】
2008183341.tif 000004
【図３】
2008183341.tif 000005